(57)【要約】  本発明は、横断歩道に設けられるシェルターであって、横断歩道の両側又は片側の歩道に施工設置される本体を備え、この本体の上端に接続された屋根からなるシェルター部と、前記シェルター部の本体に蝶合されて折り畳まれる椅子と、前記椅子の底面から椅子を上部に向かって押して本体に形成された収納部に収納されるようにし、下部に移動しながら椅子が拡開されて着座できるようにする折り畳みユニットと、前記屋根に設けられ、横又は縦に並列接続された太陽電池と、太陽電池から生産された電気を蓄電する蓄電器及び前記蓄電器から電気を供給されて前記折り畳みユニット、屋根に設けられた照明、モニターに電気を供給する電源供給部と、を備えることに技術的な特徴がある。【選択図】    図１
2019511649.tif 000002
【特許請求の範囲】
【請求項１】
横断歩道に設けられるシェルターであって、
横断歩道の両側又は片側の歩道に施工設置される本体を備え、この本体の上端に接続された屋根からなるシェルター部と、
前記シェルター部の本体に蝶合されて折り畳まれる椅子と、
前記椅子の底面から椅子を上部に向かって押して本体に形成された収納部に収納されるようにし、下部に移動しながら椅子が拡開されて着座できるようにする折り畳みユニットと、
前記屋根に設けられ、横又は縦に並列接続された太陽電池と、太陽電池から生産された電気を蓄電する蓄電器及び前記蓄電器から電気を供給されて前記折り畳みユニット、屋根に設けられた照明、モニターに電気を供給する電源供給部と、
を備える多機能横断歩道用シェルター。
【請求項２】
前記椅子は、一方の端にシェルター部の本体に設けられた回転軸と接続されて回転しながら折り畳たまれるようにするが、上下移動しながら前記椅子を本体に形成された収納部に嵌め込んだり拡開させたりする昇降部が配備された請求項１に記載の多機能横断歩道用シェルター。
【請求項３】
前記折り畳みユニットは、内側面にラックギアが配備される昇降部と、このラックギアと噛み合いながらモーターと接続されたピニオンギアが回転しながら昇降部を上下移動させる請求項１に記載の多機能横断歩道用シェルター。
【請求項４】
前記屋根に集光板が設けられ、この集光板から生産された電気を蓄電して、屋根に設けられる照明と、本体に設けられたモニター型入力部及び広告板の電源として使用できるようにする電源供給部が配備された請求項１に記載の多機能横断歩道用シェルター。
【発明の詳細な説明】
【技術分野】
【０００１】
本発明は、信号待ちの際に歩行者が雨や雪を避けるとともに、ゆったり休める多機能横断歩道用シェルターに関する。
【０００２】
更に詳しくは、歩行者には利便性を提供し、エネルギーを節減するとともに、安全事故を未然に防ごうとするものであり、折り畳み式椅子を備え、集光板を設けて太陽光を利用できるようにし、青色の灯火の信号であるときに車両の停止状態及び車両の速度を感知して歩行者が横断できるか否か、又は事故の危険要素があるか否かを判断して歩行者に知らせることにより、老弱者及び子供が安全に横断できるようにする多機能横断歩道用シェルターに関する。
【背景技術】
【０００３】
一般に、横断歩道は、人間が車道を安全に横断できるように設けられた道であって、信号に応じて車両は停止線に止まり、人間は車道を横断できるようにしたものであるが、運転者のミス及び錯覚又は他の何等かの理由によって停止信号を無視して走行する車両によって事故が起こることが頻発している。
【０００４】
したがって、最近には、大韓民国特許公開第１０−２０００−００３１０５０号の発明のように、赤色の灯火の信号であるときに車両が横断歩道に進入することを統制する手段が開発されている。
他の例によれば、大韓民国特許公開第１０−１９９９−００３９０７１号のように、横断歩道に設けられた信号などから送信される歩行者信号を受信する受信器と、前記受信器の出力信号に基づいて車両を減速させるための制御信号を出力する制御部と、前記制御部の出力信号に基づいて制動装置を駆動して車両の速度を減速させる制動部と、を備えた横断歩道進入車両の速度制御装置もある。
【０００５】
一方、上記の装置が車両に設けられるものであれば、危険を歩行者に知らせる大韓民国公開特許第１０−２０１４−００１４９８６号の横断歩道案内装置もある。
【０００６】
すなわち、横断歩道の一方の側に設けられて前記歩行者の安全な前記横断歩道の歩行を誘導する横断歩道案内装置において、前記横断歩道案内装置は、地面に垂直に設けられる箱体と、棒状に形成されて前記箱体の上部面に垂直に設けられる第１の支持台と、曲面を有する棒状に形成されて前記第１の支持台の端部に一方の端部が接続されるが、他方の端部が相対向するように設けられる第２の支持台及び第３の支持台と、前記第２の支持台に設けられて前記横断歩道を横断する歩行者を感知する歩行者感知手段と、前記第３の支持台に設けられて前記横断歩道に近付く車両を感知する車両感知手段と、既に設定された顕示検出アルゴリズムに基づいて前記歩行者感知手段によって検出された歩行者及び前記車両感知手段によって検出された車両の有無を用いて前記歩行者の歩行及び待ちを示す案内情報を決定する制御部と、前記制御部によって決定された案内情報に適した既に設定された信号データを出力する表出手段と、を備えるものである。
【０００７】
ところが、このような装置において車両の制動を制御することは、車両に欠陥が発生する確率が高いため更に大きい事故が起こる危険があり、更に、製作及び設置も決して容易ではないという問題がある。
【０００８】
なお、歩行者に歩行及び待ち状態を知らせる装置は、待ち時間が長引いて歩行速度が遅い老弱者や子供は横断可能な時間を逃してしまうという問題が発生する虞がある。
【先行技術文献】
【特許文献】
【０００９】
【特許文献１】大韓民国特許公開第１０−２０００−００３１０５０号
【特許文献２】大韓民国特許公開第１０−１９９９−００３９０７１号
【特許文献３】大韓民国公開特許第１０−２０１４−００１４９８６号
【発明の概要】
【発明が解決しようとする課題】
【００１０】
本発明は、このような従来の問題に鑑みてなされたものであり、その目的は、歩行者、特に、老弱者や子供に憩いの場を提供し、安全に横断歩道を横断できるようにする多機能横断歩道用シェルターを提供することである。
【００１１】
本発明の他の目的は、集光板を設けて生産された電気を用いてシェルター本体に配備される広告、照明及び制御モジュールを動作させることにより、エネルギーを節減し、更に、歩行者の安全を図ることのできる多機能横断歩道用シェルターを提供することである。
【課題を解決するための手段】
【００１２】
本発明は、横断歩道に設けられるシェルターであって、横断歩道の両側又は片側の歩道に施工設置される本体を備え、この本体の上端に接続された屋根からなるシェルター部と、
前記シェルター部の本体に蝶合されて折り畳まれる椅子と、前記椅子の底面から椅子を上部に向かって押して本体に形成された収納部に収納されるようにし、下部に移動しながら椅子が拡開されて着座できるようにする折り畳みユニットと、前記屋根に設けられ、横又は縦に並列接続された太陽電池と、太陽電池から生産された電気を蓄電する蓄電器及び前記蓄電器から電気を供給されて前記折り畳みユニット、屋根に設けられた照明、モニターに電気を供給する電源供給部と、を備えるところに技術的な特徴がある。
【００１３】
また、本発明は、前記椅子は、一方の端にシェルター部の本体に設けられた回転軸と接続されて回転しながら折り畳たまれるようにするが、上下移動しながら前記椅子を本体に形成された収納部に嵌め込んだり拡開させたりする昇降部が配備されたところに特徴がある。
【発明の効果】
【００１４】
本発明は、第一に、歩行信号を待つ歩行者がゆったり休める空間を提供するが、老弱者や子供が座ってゆったり休める椅子が配備され、この椅子は、折り畳み自在に構成されて空間を確保し易いという効果がある。
【００１５】
第二に、本発明は、太陽光を集光して電気を生産し、この電気を用いてシェルター本体に配備された各種の装置を駆動することにより、エネルギーを節減することができるというメリットがある。
【００１６】
第三に、本発明は、停止信号を無視する虞のある車両に停止信号を出力し、歩行者にはこれを知らせて事故を未然に防ぐことができる発明である。
【図面の簡単な説明】
【００１７】
【図１】本発明に係る横断歩道用シェルターの一例を示す斜視図。
【図２】本発明に係る横断歩道用シェルターの一側面図。
【図３】本発明に係る折り畳み式椅子の断面図。
【図４】本発明に係る折り畳み式椅子の一部を切り欠いた平面図。
【図５】本発明に係る椅子の動作過程を示す一側面図。
【図６】本発明に係る椅子の他の実施形態の要部拡大図。
【図７】本発明に係るブロック図。
【図８】本発明に係る他のブロック図。
【発明を実施するための形態】
【００１８】
本発明に係る横断歩道用シェルター１００は、歩行者、特に、老弱者や子供が座ってゆったり休める椅子２００を備えるが、この椅子２００が折り畳み自在に構成されて信号を待つ人が多いときには空間が確保できるようにするものである。
【００１９】
また、本発明は、太陽光を用いた電源供給部３００を備えたものであり、この太陽光を用いて電気を生産し、この電気を照明、モニター、広告、制御モジュール及び前記折り畳み式椅子２００の駆動電源として使用し、しかも、送風機などの駆動電源として活用することにより、エネルギーを節減することができるものである。
【００２０】
他の実施形態によれば、本発明は、停止信号後に、車両の速度を感知してその速度が速過ぎる場合、電光板を用いて停止信号を表示し、近距離通信、例えば、ブルートゥース（登録商標）などを用いて運転者に音声で「停止せよと」という旨を伝えるものである。
【００２１】
以下、添付図面に基づいて、本発明の好適な実施形態について詳細に説明する。
【００２２】
まず、本発明に係る横断歩道用シェルター１００は、本体１２０と、この本体１２０の上端に組み付けられて施工される屋根１４０と、でシェルター部を構成し、このシェルター部に椅子、集光板、送風機などを配設して歩行者に利便性を提供するものである。
【００２３】
前記シェルター部の本体１２０は、横断歩道が描かれた車道の両側、換言すれば、歩道に施工されるものであって、下端の一部が地面に埋め込まれた状態で立てられ、上端部に屋根１４０が組み立てられて設けられるようにするものである。前記本体１２０及び屋根１４０は、設計されるデザインに応じて、図面のように、本体１２０が屋根１４０の一方の側の先端部に位置してもよく、又は中央に位置してもよく、場合によっては、本体が「┐」字状に構成されてもよい。なお、本体に扉が配備された「ロ」字状に構成されて屋根が載せられる構成も採用可能である。
【００２４】
一方、本発明に係る前記本体１２０の片面又は両面には広告板が配備されてもよく、屋根の前面又は背面に並列又は直列に接続された多数のＬＥＤランプから構成された照明部が配備されて夜間に周りを照らせるようにし、広告板を中心として上下部側にそれぞれ又は選択的に入力部１２４が配備されてもよい。
【００２５】
ここで、前記入力部１２４は、図面のように、タッチスクリーンにより構成されたモニター又はスイッチ付きパネルにより構成されてもよく、この入力部１２４を操作して後述する椅子の折り畳み動作又は送風機の稼動又は音声出力が行えるようにするものである。
【００２６】
換言すれば、歩行者が喫煙者を見付けると、入力部１２４を操作して屋根１４０に設けられた送風機を稼動させ、これとともに、喫煙禁止放送が出力されるようにするのである。いうまでもなく、後述するように、感知部を構成する煙感知部及び制御部が自動的に送風機を稼動させ、音声を出力してもよい。
【００２７】
折り畳み式椅子２００
本発明に係る椅子２００は、座板２２０と、回転軸２４０と、この座板を回動させて折り畳ませる折り畳みユニット２６０と、により構成され、これらに座板を回動方向に押して座板が拡開されるようにする押し棒部２８０と、補助受け部２０２と、が更に配備される構成である。
【００２８】
前記座板２２０は、歩行者、特に、年寄りや子供が座ってゆったり休めるようにするものである。ここで、前記座板２２０は、折り畳まれた状態では本体１００に形成された収納部１０２に嵌め込まれる構成であり、下端が前記収納部１０２の側壁に配備された回転軸２４０に接続されてこれを中心に回転する。
【００２９】
すなわち、本発明に係る座板２２０は、回転軸を中心に回転し、折り畳まれた状態では前記収納部１０２に収納され、この収納部の外側面に前記折り畳みユニット２６０が覆われる構成である。
【００３０】
前記折り畳みユニット２６０は、昇降部２６２と、この昇降部２６２を上下移動させる駆動部２６４と、により構成される。
【００３１】
前記昇降部２６２は、本体に形成された移動溝１０４に沿って移動するものであり、座板が拡開された状態では、座板２２０の底面に位置する状態で上部に移動し、座板２２０を押し上げることにより、この座板が回転軸２４０を中心に回転して収納部に折り畳まれるようにし、逆に、下降して収納部を開放して座板２２０が拡開されるようにする構成である。
【００３２】
ここで、前記移動溝１０４は、図面のように、収納部の左右の外側に形成されて昇降部に配備されたラックギア部位がここに嵌め込まれて上下移動できるようにするものである。
【００３３】
前記駆動部２６４は、基本的に、ラックギア２６４ａと、ピニオンギア２６４ｂと、モーター２６４ｃと、により構成される。すなわち、前記ラックギア２６４ａは、昇降部の内側面に設けられ、これと噛み合うピニオンギア２６４ｂは、モーターと接続される構成である。
【００３４】
換言すれば、本発明に係る前記ラックギア２６４ａは、昇降部２６２の内側面の両縁部又は両側のそれぞれと中央部位とに設けられるようにし、前記ピニオンギア２６４ｂは、モーターと接続された回転軸２６４ｄに取り付けられてラックギアを移動させる構成であり、このピニオンギアは、当然のことながら、ラックギアの設置数と同数及びラックギアの設置位置と同じ位置に設けられる。
【００３５】
一方、本発明は、ラックギア及びピニオンギアのみを使用するものではない。場合によっては、ワイヤーチェーン又はスクリューを用いる方法も採用可能である。
【００３６】
ここで、スクリュー方式は、前記本体にスクリューを立設するが、このスクリュー及びモーターが接続されて回転し、昇降部にこのスクリューに嵌め込まれてスクリューの回転につれて上下移動するねじ部が配備されるものである。
【００３７】
また、本発明は、昇降部が収納部の前面まで移動して収納部を完全に覆うことを基本とするが、場合によっては、一部のみを覆う程度まで、すなわち、座板が収納部に収納される程度まで昇降しても構わない。
【００３８】
本発明に係る押し棒２８０は、座板が拡開され易いように座板の上端を押すものであり、昇降部２６０が下降すれば、押し棒が座板を前方に押して回転させるものである。本発明に係る押し棒は、シリンダー、電磁石などにより構成される。
【００３９】
更に、本発明には、受け部２０２が更に配備される。
【００４０】
この受け部２０２は、図面のように、座板２２０の底面に溝２０６を形成し、この溝２０６に嵌め込まれる支持浅２０４により構成される。
【００４１】
前記支持浅２０４は、図面のように、上端が溝２０６の両側壁に配備されたヒンジと結合され、他方の端は自由端として構成されたものであり、座板が回動して下降すれば、支持浅２０４がヒンジを中心として自由端が下方に落下し、昇降部に形成されたガイド溝２６０ａに沿って移動するものである。
【００４２】
このような状態で人間が座板に座ると、支持浅２０４の自由端が傾いた状態で自然に座板を支持することになる。
【００４３】
いうまでもなく、本発明に係る座板２２０は、昇降部２６０の上端が１次支持し、これとともに、前記支持浅２０４によって再び支持されることにより、安全に座れるのである。
【００４４】
電源供給部３００
本発明に係る電源供給部３００は、太陽光を用いるものであり、屋根１４０に太陽電池、すなわち、集光板３２０が配備され、この集光板から生産された電気が蓄電池に蓄電された状態で、この電気が屋根に配備されたＬＥＤ照明部、本体に配備された広告板、及び下記の感知部及び制御部により構成された制御モジュールに用いられる。
【００４５】
感知部４００
本発明に係る感知部４００は、煙感知部と、人体感知部と、荷重感知部と、速度感知部、すなわち、速度測定器と、により構成される。
【００４６】
ここで、前記煙感知部は、タバコの煙を感知するものであり、シェルター１００内において、或いは、シェルターの周りにおいて喫煙が行われる場合、煙感知部において感知された信号に基づいて、制御部５００は送風機を稼動させて煙を吸い込み、これを屋根の上部に排出するものである。
【００４７】
いうまでもなく、前記送風機の前方にはフィルターが配備されて匂いの除去及び有害物質の除去が行われるようにしてもよく、本体に配備されたスピーカーを介して案内放送をしてもよい。
【００４８】
前記人体感知部は、シェルター１００内に歩行者が存在するか否かを感知するものであり、歩行者の存否に応じて前記送風機が稼動されない場合もある。
【００４９】
また、荷重感知部は、椅子に設けられるものであり、座板の底面に配備される天秤ばかりであってもよく、或いは、回転軸２４０に設けられるエンコーダーにより構成されてもよい。この荷重感知部は、使用者が入力部を操作して椅子を拡開させて座っていて、横断歩道を横断するために立つと、座板を押している力が除去され、この除去される力を感知するものである。
【００５０】
本発明は、座板に作用した荷重が除去されれば、その信号を制御部５００が検出してモーター２６４ｃを動作させて座板２２０を折り畳んでシェルター１００内の空間が確保されるようにするものである。
【００５１】
最後に、本発明は、速度測定器を更に備えていてもよい。
【００５２】
この速度測定器は、歩行信号が点灯すれば動作するものであり、停止線に向かって走行してくる車両の速度を測定して既に設定された速度よりも車両の速度が速ければ、これを表示するようにするものである。
【００５３】
例えば、既に設定された速度よりも測定された速度が速ければ、制御部５００は、電光板又は本体に設けられた入力部の画面に注意信号を出力する。更に、本発明は、近距離通信、例えば、ブルートゥース（登録商標）などを用いて運転者に音声で「停止せよ」という旨を伝えるが、このとき、ブルートゥース（登録商標）は、最近、ほとんどの車両に配備されたナビゲーションと接続される。
【００５４】
すなわち、本体１２０に配備された制御部を構成するコントローラーにブルートゥース（登録商標）を設け、このブルートゥース（登録商標）を用いてナビゲーションに停止放送を行わせるものである。
【産業上の利用可能性】
【００５５】
本発明は、横断歩道において歩行信号を待つ歩行者が雨や雪を避けるとともに、ゆったり休める場所を提供するものであり、製作の際に製品の成型、電気、電子技術が利用されるものである。
【図１】
2019511649.tif 000003
【図２】
2019511649.tif 000004
【図３】
2019511649.tif 000005
【図４】
2019511649.tif 000006
【図５】
2019511649.tif 000007
【図６】
2019511649.tif 000008
【図７】
2019511649.tif 000009
【図８】
2019511649.tif 000010
【国際調査報告】
2019511649.tif 000011
2019511649.tif 000012
2019511649.tif 000013
2019511649.tif 000014